(57)【要約】【課題】本発明は、回転圧縮機等におけるターミナルカバーの取付作業が簡単にできると共に、ナットによる締め付けを廃止したターミナルカバーの取付構造を提供する。【解決手段】取付用棒金具の先端部に溝を設け、この取付用棒金具を挿入できる円筒状の突起をターミナルカバー内内壁に設け、且つ、その円筒状の突起の内部に、前記取付用棒金具の先端部溝に嵌り合い、その先端部溝の周縁部に係止させる突起を設けたことにより、固定用のナットによる締め付けを廃止でき、又、ターミナルカバーの内部から上部外表面に通じる取り付け穴からの水分等の浸入をなくす事ができる。【選択図】図２
2012067713.tif 000002
【特許請求の範囲】
【請求項１】
回転圧縮機等におけるターミナルカバーの取付用棒金具の先端部に溝を設け、この取付用棒金具を挿入できる円筒状の突起を前記ターミナルカバー内内壁に設け、且つ、その円筒状の突起の内部に、前記取付用棒金具の先端部溝に嵌り合い、その先端部溝の周縁部に係止させる突起を設けて係止させたことを特徴とするターミナルカバー。
【請求項２】
前記円筒状の突起の内部に設けられた突起部は、その円筒状の突起の先端部から上方に向けて漸次縮径するテーパ状で逆円錐状に形成された請求項１記載のターミナルカバー。
【請求項３】
前記円筒状の突起の内部に設けられた突起部は、複数の張出片から成る請求項１又は２記載のターミナルカバー。
【請求項４】
前記円筒状の突起が、先端部から上方にスリットが入っている請求項１から３いずれか１項に記載のターミナルカバー。
【請求項５】
前記円筒状の突起の内部に設けられた突起部は、その円筒状の突起の先端部から上方に向けて半円柱状に形成された請求項１から４いずれか１項に記載のターミナルカバー。
【請求項６】
前記円筒状の突起の内部に設けられた突起部は、その円筒状の突起の先端部から上方に向けて半球体に形成された請求項１から４いずれか１項に記載のターミナルカバー。
【発明の詳細な説明】
【技術分野】
【０００１】
本発明は、回転圧縮機等に使用されるターミナルカバーに関する。
【背景技術】
【０００２】
従来、密閉容器の内部に電動機構と圧縮機構とが組み込まれ、密閉容器内に導入した冷媒ガス等の気体を圧縮機構により圧縮すると共に、この圧縮気体を密閉容器から外部に排出するようにした回転圧縮機が知られている。
【０００３】
この種の回転圧縮機は、ステータとロータとから成る電動機構によりシャフトを介して圧縮機構のローラを偏心回転させるように構成されており、縦型回転圧縮機の場合は図１１に示すように密閉容器１の上部にターミナル２が設けられ、このターミナル２に電源側のリード線７を接続して電動機構（図略）に給電する。
【０００４】
前記ターミナル２には、これを保護するためにボックス状のターミナルカバー３が取り付けられている。このターミナルカバー３は、上壁の要所に取付穴３ａが設けられ、この取付穴３ａに対して前記密閉容器１に突設された取付用棒金具６を挿入すると共に、取付用棒金具６の先端部に形成されたねじ部にナット用ガスケット８とナット９を螺合して締め付けることにより取り付けられている。前記リード線７は、ターミナルカバー３の側壁に設けられた図示しない通孔を介して外部の電源に繋がっている。
【先行技術文献】
【特許文献】
【０００５】
【特許文献１】特開平１０−１０８４１０号公報
【発明の概要】
【発明が解決しようとする課題】
【０００６】
しかしながら、前記従来のターミナルカバー取付構造によると、前記ナット９で締め付け固定するために取付作業が面倒であると共に、取付前の搬送時等に外力が加わって前記ねじ部の一部がつぶれたりするとナット９の締め付けができず、ターミナルカバー３を取り付けられない等の不都合が発生する。又、取付穴３ａから水分等が入る不具合が発生する。
【０００７】
本発明は、このような従来の不都合を解消するためになされ、ターミナルカバーの取付作業が簡単にできると共に、ナット９による締め付けを廃止し、又、取付穴３ａからの水分等の浸入をなくしたターミナルカバーの取付構造を提供することを目的とする。
【課題を解決するための手段】
【０００８】
前記従来の課題を解決するために、本発明のターミナルカバーでは、その取付用棒金具の先端部に溝を設け、この取付用棒金具を挿入できる円筒状突起をターミナルカバー内内壁に設け、且つ、その円筒状突起の内部に、前記取付用棒金具の先端部溝に嵌り合い、その先端部溝の周縁部に係止させる円筒形状の係止部を設けて係止させたターミナルカバーの取付構造を要旨とする。
【０００９】
これによって、ターミナルカバー内の円筒状突起の内部に、取付用棒金具先端部を合わせてターミナルカバーを強く押し込むと、取付用棒金具の先端部が円筒状突起の内部に強引に挿入され、円筒状突起の内部に設けられた係止部が、取付用棒金具の先端部溝に嵌り合い、その先端部溝の周縁部に係止されて、ターミナルカバーを取り付けることができる
。又、これにより、固定用のナットによる締め付けを廃止できる。又、ターミナルカバーの内部から上部外表面に通じる取り付け穴からの水分等の浸入をなくす事ができる。
【００１０】
又、本発明のターミナルカバーでは、前記円筒状突起の内部に設けられた係止部の形状を、円筒形状としたが、この円筒形状の代わりに、前記円筒状突起の先端部から上方に向けて漸次縮径するテーパ状に形成した。又、その一部を残し張出片として、複数個の張出片で構成した。又、この張出片の形状を、その円筒状突起の内部先端部から上方に向けた円錐状として形成した。又、その円筒状突起の先端部から上方に向けて半球体として形成した。又、本発明のターミナルカバーでは、前記円筒状突起の内、前記複数個の張出片の部分以外の円筒状突起に、先端部から上方にスリットを入れた構造とした。尚、固定については、何れも、前記同様に、取付用棒金具の先端部溝に嵌り合い、その先端部溝の周縁部に、前記張出片が係止されて、ターミナルカバーを取り付け固定するができる。
【００１１】
これによって、前記同様にターミナルカバーを強く押し込むが、その力が軽減され、挿入し易く、作業性向上になる。又、ターミナルカバーの製作を容易にできるようになる。
【発明の効果】
【００１２】
本発明のターミナルカバーとその取り付け構造は、ターミナルカバーの取付作業を簡略化できると共に、締め付けナットとナット用ガスケットが不要になって経費を軽減できるとともに、ターミナルカバー取り付け用の外壁に通じる穴が無くなったことにより水分等の浸入をなくなる等の優れた効果を奏する。
【図面の簡単な説明】
【００１３】
【図１】本発明実施の形態１におけるターミナルカバーの取付状態を示す断面図
【図２】本発明実施の形態１における円筒状突起と取付用棒金具の取付状態を示す断面図
【図３】本発明実施の形態２における円筒状突起を示す図
【図４】本発明実施の形態３における円筒状突起を示す図
【図５】本発明実施の形態３における張出片の数を増やした円筒状突起を示す図
【図６】本発明実施の形態４におけるスリットを設けた円筒状突起を示す図
【図７】本発明実施の形態４におけるスリットの数を増やした円筒状突起を示す図
【図８】本発明実施の形態５における円筒状突起を示す図
【図９】本発明実施の形態５における円筒状突起と取付用棒金具の取付状態を示す断面図
【図１０】本発明実施の形態６における円筒状突起を示す図
【図１１】従来のターミナルカバーの取付状態を示す断面図
【発明を実施するための形態】
【００１４】
第１の発明は、回転圧縮機等におけるターミナルカバーの取付用棒金具の先端部に溝を設け、この取付用棒金具を挿入できる円筒状突起をターミナルカバー内内壁に設け、且つ、その円筒状突起の内部に、前記取付用棒金具の先端部溝に嵌り合い、その先端部溝の周縁部に係止させる円筒状の係止部を設けて係止させるターミナルカバーの取付構造とした。
【００１５】
第２の発明は、ターミナルカバー内内壁に設けた円筒状突起の内部に設けられた円筒状の係止部は、前記円筒状突起の先端部から上方に向けて漸次縮径するテーパ状で逆円錐状に形成した。
【００１６】
これによって、ターミナルカバー内の円筒状突起の内部に、取付用棒金具先端部を合わせてターミナルカバーを強く押し込むと、その突起の内部に設けられた係止部が逆円錐状
で上方に向けて漸次縮径するテーパ状に形成したので、取付用棒金具の先端部を円筒状突起の内部に強引に挿入することができる。
【００１７】
その後、円筒状突起の内部に設けられた係止部が、取付用棒金具の先端部溝に嵌り合い、その先端部溝の周縁部に係止されて、ターミナルカバーを取り付けることができる。これにより、固定用のナットによる締め付けを廃止でき、ナット部品が廃止でき、同時に、作業性がよくなる。又、ターミナルカバーの内部から上部外表面に通じる取り付け穴が無くなり、よって、従来その穴からの水分等の浸入が発生していたが、これをなくす事ができ、又シール用のナット用ガスケット部品が廃止できる。
【００１８】
第３の発明は、特に第１、２の発明で円筒状突起の内部に設けられた係止部の形状を円筒状、円錐状としたが、この形状の内、その一部を残し複数個の張出片として形成した。
【００１９】
これにより、ターミナルカバー内の円筒状突起の内部に、取付用棒金具先端部を合わせてターミナルカバーを強く押し込むと、その突起の内部に設けられた係止部が複数個で、又、その形状が先端部から上方に向けた円錐状の漸次縮径するテーパ状に形成したので、取付用棒金具の先端部が円筒状突起の内部に挿入するとき、その抵抗が小さくなり、容易に挿入することができる。
【００２０】
その後、円筒状突起の内部に設けられた係止部が、取付用棒金具の先端部溝に嵌り合い、その先端部溝の周縁部に係止されて、ターミナルカバーを取り付けることができる。
【００２１】
第４の発明は、特に第１、２、３の発明でターミナルカバーの取付用棒金具の先端部に溝を設け、この取付用棒金具を挿入できる円筒状突起をターミナルカバー内内壁に設けたが、この円筒状突起に、その先端部から上方にスリットが入った形状とした。
【００２２】
これにより、ターミナルカバー内の円筒状突起の内部に、取付用棒金具先端部を合わせてターミナルカバーを強く押し込むと、その突起の内部に設けられた係止部が、取付用棒金具の先端部に当たり、さらに押し込むと、スリットを入れた形状とした事で、外周部へ容易に広がることができ、取付用棒金具の先端部が円筒状突起の内部に容易に挿入することができる。
【００２３】
その後、円筒状突起の内部に設けられた係止部が、取付用棒金具の先端部溝に嵌り合い、その先端部溝の周縁部に係止されて、ターミナルカバーを取り付けることができる。
【００２４】
第５の発明は、特に第１、第２の発明のターミナルカバー内内壁に設けた円筒状突起の内部に設けられた円筒状又は円錐状の係止部の代わりに、その円筒状突起の先端部から上方に向けて半円柱状に形成した。
【００２５】
又、第６の発明では、特に第３、４の発明で円筒状突起の内部に設けられた係止部の形状を円筒状又は円錐状の複数個の張出片として形成したが、その係止部の形状を半球状の複数個の張出片として形成した。
【００２６】
これによって、ターミナルカバー内の円筒状突起の内部に、取付用棒金具先端部を合わせてターミナルカバーを強く押し込むと、その突起の内部に設けられた係止部が先端部から上方に向けて半円柱状や半球状に形成したので、取付用棒金具の先端部が円筒状の突起の内部に強引に挿入することができる。
【００２７】
その後、円筒状の突起の内部に設けられた係止部が、取付用棒金具の先端部溝に嵌り合い、その先端部溝の周縁部に係止されて、ターミナルカバーを取り付けることができる。
又、本形状にすることで、ターミナルカバーの一体成型後、金型からの取り出しが容易になる。
【００２８】
（実施の形態１）
図１は本発明実施の形態１におけるターミナルカバーの取付状態を示す断面図である。図１において、１は縦型回転圧縮機の密閉容器であり、図示は省略したが内部にステータとロータとからなる電動機構、及び偏心回転するローラを有する圧縮機構が組み込まれている。
【００２９】
２は密閉容器１の上部に設けられたターミナルであり、電源側の図示しない外部のリード線が接続され、内部のリード線７を介して前記電動機構に給電できるようにしてある。
【００３０】
６はターミナル２に隣接して密閉容器１の上部に突設された取付用棒金具であり、その先端部には先端部溝６ａを設けている。又、３はターミナルカバーであり、合成樹脂等で下向きに開口するボックス状に形成され、その上部の内壁に円筒状突起３ｂを設けている。
【００３１】
図２は本発明実施の形態１における円筒状突起と取付用棒金具の取付状態を示す断面図である。ターミナルカバー内壁の円筒状突起３ｂの内径は、取付用棒金具の先端部外径より若干大きい内径の円筒となっている。
【００３２】
更に、その円筒状突起の内部には、下端面から内径の小さい円筒状の係止部３ｃを設けている。この突起の内径は、取付用棒金具の先端部溝６ａの溝内径より大きくなっていて、その幅は取付用棒金具の先端部溝の巾より小さくしている。更に、ターミナルカバー上部内壁の円筒状突起３ｂの長さｈとその円筒状突起の内部に設けた円筒状の係止部の巾は、ターミナルカバーを図のように組み立てたとき、その係止部が、取付用棒金具の先端部溝に嵌り合い、密閉容器１とターミナルカバー３が隙間なく固定できる長さとしている。
【００３３】
以上のように構成されたターミナルカバーの取り付け構造について、以下その動作、作用を説明する。
【００３４】
外部からのリード線７とスプリング１０を装着した過負荷保護器１１とターミナル２とを結線し、それらを被せるように開口部を下にしてターミナルカバー３を取り付ける。
【００３５】
このとき、ターミナルカバー上部内壁に設けた円筒状突起３ｂを取付用棒金具６の先端突起部に挿入するように合わせ、ターミナルカバー３を強く押し下げる。
【００３６】
この時、ターミナルカバー３の円筒状突起３ｂは、取付用棒金具６先端部により押し拡げられながら、取付用棒金具６の先端部が円筒状突起３ｂの内部に強引に挿入することができる。
【００３７】
その後、円筒状突起３ｂの内部に設けられた係止部３ｃが、取付用棒金具６の先端部溝６ａに嵌り合い、その先端部溝の周縁部に係止されて、ターミナルカバー３を取り付けることができる。
【００３８】
これにより、効果として、図１１に示した従来のターミナルカバーの取り付け構造において、固定用のナット９による締め付けを廃止でき、又、ナット部品が廃止でき、同時に、作業性がよくなる。
【００３９】
又、ターミナルカバー３の内部から上部外表面に通じる取付穴３ａが無くなり、従来そ
の穴からの水分等の浸入を防止する為に、シール用のナット用ガスケット８を必要としていたが、穴を開けない構造としたので、水分等の浸入を防止でき、又、シール用のナット用ガスケット８を廃止できる。
【００４０】
（実施の形態２）
図３は本発明実施の形態２における円筒状突起を示す図である。ターミナルカバー内内壁に設けた円筒状突起の内部に設けられた係止部は、円錐形状としており、前記円筒状突起の先端部から上方に向けて漸次縮径するテーパ状に形成した。
【００４１】
これによって、ターミナルカバー内の円筒状突起の内部に、取付用棒金具先端部を合わせてターミナルカバーを強く押し込むと、その突起の内部に設けられた係止部が円錐状で上方に向けて漸次縮径するテーパ状に形成したので、取付用棒金具の先端部が円筒状の突起の内部に強引に挿入することができる。
【００４２】
その後、円筒状突起の内部に設けられた係止部が、取付用棒金具の先端部溝に嵌り合い、その先端部溝の周縁部に係止されて、ターミナルカバーを取り付けることができる。
【００４３】
これにより、ターミナルカバーを取付用棒金具先端部に押し込むときの力が軽減でき、容易に挿入できると共に、実施の形態１同様の効果が得られる。
【００４４】
（実施の形態３）
図４は本発明実施の形態３における円筒状突起を示す図であり、ターミナルカバー内内壁に設けた円筒状突起の内部に設けられた係止部を示している。特に実施の形態１、２では、円筒状突起の内部に設けられた係止部の形状を円筒状又は円錐状としたが、この円錐状でその一部を残し張出片として、その張出片を２個設けたものである。又、この張出片の形状を、その円筒状突起の内部先端部から上方に向けた円錐状として形成した。
【００４５】
図５は本発明実施の形態３における張出片の数を増やした円筒状突起を示す図である。張出片を４個対象に設けたものを示したが、更に、この張出片の数を増やしてもよい。
【００４６】
これにより、ターミナルカバーを取付用棒金具先端部に押し込むときの力が更に軽減でき、容易に挿入できると共に、実施の形態１同様の効果が得られる。
【００４７】
（実施の形態４）
図６は本発明実施の形態４におけるスリットを設けた円筒状突起を示す図である。ターミナルカバー内内壁に設けた円筒状突起の内部に設けられた係止部を示したている。図４の実施の形態３のターミナルカバー内内壁に設けた円筒状突起に、更にその先端部から上方にスリットが入った形状としたものである。
【００４８】
図７は本発明実施の形態４におけるスリットの数を増やした円筒状突起を示す図である。実施の形態３の張出片を４個対象に設けた図５の形状のものに、スリットを設けたものを示している。図は何れもスリットを下端からターミナルカバー内壁まで全てスリットを入れる形状としているが、途中で止めた形状でもよい。又、スリットは下端から内壁まで等巾としているが、テーパ形状としてもよい。
【００４９】
これにより、ターミナルカバー内の円筒状突起の内部に、取付用棒金具先端部を合わせてターミナルカバーを強く押し込むと、その突起の内部に設けられた係止部が、取付用棒金具の先端部に当たり、さらに押し込むと、スリットを入れた形状とした事で、外周部へ容易に広がることができ、取付用棒金具の先端部が円筒状突起の内部に容易に挿入することができる。その後、円筒状突起の内部に設けられた係止部が、取付用棒金具の先端部溝
に嵌り合い、その先端部溝の周縁部に係止されて、ターミナルカバーを取り付けることができる。
【００５０】
（実施の形態５）
図８は本発明実施の形態５における円筒状突起を示す図である。本発明の第５の実施の形態におけるターミナルカバー内内壁に設けた円筒状突起の内部に設けられた係止部を示している。特に本発明の第１の実施の形態のターミナルカバー内内壁に設けた円筒状突起の内部に設けられた円筒状の係止部の代わりに、その円筒状突起の先端部から上方に向けて半円柱状に形成したものである。図９は本発明実施の形態５における円筒状突起と取付用棒金具の取付状態を示す断面図である。取付用棒金具６との取付状態を示している。
【００５１】
（実施の形態６）
図１０は本発明実施の形態６における円筒状突起を示す図である。本発明の第３の実施の形態で、円筒状突起の内部に設けられた係止部の形状を円錐状の複数個の張出片として形成したが、その係止部の形状を半球状の複数個の張出片として形成したものである。又、更に図示していないが、そのターミナルカバー内内壁に設けた円筒状突起に実施の形態４同様のスリットを入れて形成してもよい。
【００５２】
これにより、ターミナルカバー内の円筒状突起の内部に、取付用棒金具先端部を合わせてターミナルカバーを強く押し込むと、その突起の内部に設けられた係止部を先端部から上方に向けて半球状に形成したので、取付用棒金具の先端部が円筒状突起の内部に強引に挿入することができるとともに、その押し込むときの力を、弱める事ができる。その後、円筒状突起の内部に設けられた半球状の係止部が、取付用棒金具の先端部溝に嵌り合い、その先端部溝の周縁部に係止されて、ターミナルカバーを取り付けることができる。又、本形状にすることで、ターミナルカバーの一体成型後、金型からの取り出しが容易になる。
【産業上の利用可能性】
【００５３】
以上のように、本発明にかかる回転圧縮機等におけるターミナルカバーの取付構造のターミナルカバーは、取付作業を簡略化できると共に、締め付けナットとナット用ガスケットが不要になって、経費を軽減できるとともに、ターミナルカバー取り付け用の外壁に通じる穴が無くなったことにより水分等の浸入がなくなる等の優れた効果をえられるので、他の圧縮機のターミナルカバーの固定方法や、圧縮機関連以外のターミナルカバーの取付構造としても適用できる。
【符号の説明】
【００５４】
１    密閉容器
２    ターミナル
３    ターミナルカバー
３ａ  取付穴
３ｂ  円筒状突起
３ｃ  係止部
６    取付用棒金具
６ａ  先端部溝
７    リード線
８    ナット用ガスケット
９    ナット
１０  スプリング
１１  過負荷保護器
【図１】
2012067713.tif 000003
【図２】
2012067713.tif 000004
【図３】
2012067713.tif 000005
【図４】
2012067713.tif 000006
【図５】
2012067713.tif 000007
【図６】
2012067713.tif 000008
【図７】
2012067713.tif 000009
【図８】
2012067713.tif 000010
【図９】
2012067713.tif 000011
【図１０】
2012067713.tif 000012
【図１１】
2012067713.tif 000013